(57)【要約】【課題】開閉蓋を肥料タンクに簡単な構成で取り付けることができ、しかも開いた状態を、従来の支持リンク杆等から成る複雑な構造のストッパ機構を設けることなく維持可能とする。【解決手段】農作業機６に搭載された肥料タンク２５の開閉蓋３０は、枢支軸３１を中心に開閉可能であり、開閉蓋３０の基端部側の左右側部に、肥料タンクの外側面に沿って垂下する垂下部３７が形成されており、垂下部３７には、開閉蓋３０を閉じた状態では前後方向かつ水平方向に延びる長孔３８が形成されており、枢支軸３１は、開閉蓋３０に対して長孔３８内を相対的に移動可能なように挿通され、肥料タンク２５の外側面に螺着されており、開閉蓋３０は、肥料タンク２５に対して、枢支軸３１が長孔３８の長手方向に相対的に移動可能な範囲内でスライド可能である。【選択図】図４
2019110846.tif 000002
【特許請求の範囲】
【請求項１】
農作業機に搭載された肥料タンクの開閉蓋であって、
開閉蓋の基端部側において枢支軸を中心にして開閉可能であり、
開閉蓋の基端部側における左右側部に、肥料タンクの外面に沿って垂下する垂下部が形成されており、この垂下部に基端部から先端部側に向けて延びる長孔が形成されており、
枢支軸は、開閉蓋に対して、長孔の長手方向に相対的に移動可能なように長孔に挿通されて肥料タンクに螺着されている構成であることを特徴とする肥料タンクの開閉蓋。
【請求項２】
農作業機に搭載された肥料タンクの開閉蓋であって、
開閉蓋の前後方向の一端側である基端部側においてねじ部を有する枢支軸を中心に回転して開閉可能であり、
開閉蓋の基端部側における農作業機の進行方向の左右側部に、肥料タンクの外側面に沿って垂下する垂下部が形成されており、この垂下部に開閉蓋を閉じた状態では前後方向かつ水平方向に延びる長孔が形成されており、
枢支軸は、開閉蓋に対して、長孔の長手方向に相対的に移動可能なように長孔に挿通され、さらに肥料タンクの左右の外側面に形成されたねじ孔に螺着されており、
開閉蓋は肥料タンクに対して、枢支軸が長孔の長手方向に移動可能な範囲内でスライド可能である構成であることを特徴とする肥料タンクの開閉蓋。
【請求項３】
ねじ孔は、肥料タンクの左右の外側部であって前端部及び後端部に、それぞれ形成されている構成であることを特徴とする請求項２に記載の肥料タンクの開閉蓋。
【請求項４】
開閉蓋の基端部とは反対側である先端部に、開閉時に把持可能なハンドルが設けられている構成であることを特徴とする請求項１〜３のいずれかに記載の肥料タンクの開閉蓋。
【発明の詳細な説明】
【技術分野】
【０００１】
本発明は、農作業機、特に施肥機等に搭載する肥料タンクの開閉蓋に関するものである。
【背景技術】
【０００２】
従来、施肥機を、ナイフビーム等の耕作具を備えたサブソイラ作業機と組み合わせた農作業機は知られている（特許文献１参照）。
【０００３】
施肥機は、その上部に肥料タンクを備えており、肥料タンクの頂部開口には、ヒンジで開閉可能に取り付けられた開閉蓋が設けられている。肥料タンクに肥料を供給する際には、開閉蓋を開いた状態に保持する必要がある。
【０００４】
そのために、従来、肥料タンクと開閉蓋の間に、例えば、折りたたみ可能な支持リンク杆等から成るストッパ機構が設けられ、肥料を供給する際には、開閉蓋を開いた状態で、支持リンク杆で支持可能としていた。
【先行技術文献】
【特許文献】
【０００５】
【特許文献１】特開２０１１−４６２２号公報
【発明の概要】
【発明が解決しようとする課題】
【０００６】
施肥機における肥料タンクの従来の開閉蓋は、次のような問題があった。
（１）肥料タンクに肥料を供給する際に、開閉蓋を開いた状態に保持するために、例えば、支持リンク杆等を備えたストッパ機構が必要であり、製造コストの観点から好ましくないだけではなく、構造が複雑となるので不具合箇所も増えてメンテナンス等の観点からも好ましくない。
【０００７】
（２）開閉蓋は、肥料タンクの前後のいずれかの一端側にヒンジで開閉可能に取り付けられているために、前後のいずれかにしか開閉蓋を開くことができず、開閉方向を替えて取り付けることができないので、使用者が肥料タンクに肥料を供給する際に、施肥機に対して、開閉蓋が開く前後いずれからしか供給作業をすることができない。
【０００８】
例えば、使用者によっては、施肥機に対して前方側から肥料を供給する方が供給作業がし易いとする場合と、施肥機に対して後方側から肥料を供給する方が供給作業がし易いとする場合がある。このような場合に、開閉蓋の開く側が前後いずれか一方だけの構造であると、不便である。
【０００９】
本発明は、上記従来の問題を解決することを目的とするものであり、開閉蓋を肥料タンクに簡単な構成で取り付けることができ、しかも開いた状態を、従来の支持リンク杆等から成る複雑な構造のストッパ機構を設けることなく維持でき、さらに、使用者のニーズに応じて開閉蓋の開く方向を前後のいずれの方向にでも可能なように簡単に付けを替えることが可能な肥料タンクの開閉蓋を実現することを課題とする。
【課題を解決するための手段】
【００１０】
本発明は上記課題を解決するために、農作業機に搭載された肥料タンクの開閉蓋であって、開閉蓋の基端部側において枢支軸を中心にして開閉可能であり、開閉蓋の基端部側における左右側部に、肥料タンクの外面に沿って垂下する垂下部が形成されており、この垂下部に基端部から先端部側に向けて延びる長孔が形成されており、枢支軸は、開閉蓋に対して、長孔の長手方向に相対的に移動可能なように長孔に挿通されて肥料タンクに螺着されている構成であることを特徴とする肥料タンクの開閉蓋を提供する。
【００１１】
本発明は上記課題を解決するために、農作業機に搭載された肥料タンクの開閉蓋であって、開閉蓋の前後方向の一端側である基端部側においてねじ部を有する枢支軸を中心に回転して開閉可能であり、開閉蓋の基端部側における農作業機の進行方向の左右側部に、肥料タンクの外側面に沿って垂下する垂下部が形成されており、この垂下部に開閉蓋を閉じた状態では前後方向かつ水平方向に延びる長孔が形成されており、枢支軸は、開閉蓋に対して、長孔の長手方向に相対的に移動可能なように長孔に挿通され、さらに肥料タンクの左右の外側面に形成されたねじ孔に螺着されており、開閉蓋は肥料タンクに対して、枢支軸が長孔の長手方向に移動可能な範囲内でスライド可能である構成であることを特徴とする肥料タンクの開閉蓋を提供する。
【００１２】
ねじ孔は、肥料タンクの左右の外側部であって前端部及び後端部に、それぞれ形成されている構成であることが好ましい。
【００１３】
開閉蓋の基端部とは反対側である先端部に、開閉時に把持可能なハンドルが設けられている構成であることが好ましい。
【発明の効果】
【００１４】
本発明によれば、開閉蓋を肥料タンクに簡単な構成で取り付けることができ、しかも開いた状態を、従来の支持リンク杆等から成る複雑な構造のストッパ機構を設けることなく維持でき、さらに、使用者のニーズに応じて開閉蓋の開く方向を前後のいずれの方向にでも可能なように簡単に付け替えることが可能となる。
【図面の簡単な説明】
【００１５】
【図１】本発明に係る農作業機の実施例の全体構成を示す斜視図である。
【図２】上記実施例の全体構成を示す図であり、（ａ）は平面図であり、（ｂ）は側面図である。
【図３】上記実施例の肥料タンク及び蓋を示す図であり、（ａ）は側面図であり、（ｂ）は斜視図である。
【図４】（ａ）は上記実施例の作用を説明する図であり、（ｂ）は参考例を示す図である。
【図５】上記実施例における開閉蓋と肥料タンクの要部における寸法関係の構成を説明する図であり、（ａ）は開閉蓋の長孔と肥料タンクに取り付けた枢支軸の位置関係を説明する図であり、（ｂ）は開閉蓋を開いて垂直にした状態を示す要部側面図であり、（ｃ）は開閉蓋を完全に開いて維持にした状態を示す要部側面図である。
【発明を実施するための形態】
【００１６】
本発明に係る肥料タンクの開閉蓋を実施するための形態を実施例に基づき図面を参照して、以下説明する。
【実施例】
【００１７】
本発明に係る肥料タンクの開閉蓋の実施例を図１〜５を参照して説明する。肥料タンクは、施肥機に限らず、サブソイラ作業機、播種機、その他の農作業機に搭載されて使用されるので、本発明に係る肥料タンクの開閉蓋は、肥料タンクの搭載された各種の農作業機に適用される。                   
【００１８】
この実施例では、図１、図２に示すように施肥装置１、チゼルナイフ２及びコールタ３を備えた農作業機６に設けられた肥料タンクの開閉蓋について、説明する。この実施例では、農作業機６がトラクタ（図示せず）で牽引されて進行する方向を前方（図１、図２（ｂ）では左方）とし、前方に向かって左右を左右方向又は横方向（図２（ａ）の左右方向）という。
【００１９】
農作業機６は、図１、図２（ａ）に示すように、それぞれ横方向に延びる前方フレーム７と後方フレーム８を有する。前方フレーム７と後方フレーム８を、それぞれ左右において連結する左側フレーム１１と右側フレーム１２が設けられている。
【００２０】
前方フレーム７と後方フレーム８の左右には、それぞれ左右の農作業具ホルダ１３が取り付けられている。左右の農作業具ホルダ１３には、それぞれその後端部にチゼルナイフ２が取り付けられており、それぞれその前端部にコールタ支持アーム１４を介してコールタ３が取り付けられている。
【００２１】
前方フレーム７には、左右のリンク装着具１６が設けられており、さらに中央部にマスト１７が上方に起立するように設けられている。マスト１７は、後方フレーム８に支持杆１８を介して支持されており、頂部には中央のリンク装着具１９が設けられている。
【００２２】
農作業機６は、左右のリンク装着具１６と中央のリンク装着具１９に取り付けられた３点リンクを介して、トラクタ（図示せず）に連結される。
【００２３】
前方フレーム７と後方フレーム８を前後方向に連結するように、前後方向に延びる左右の中間フレーム２１が設けられている。中間フレーム２１には、スタンド２３が取り付けられている。さらに、左右の中間フレーム２１の後端に、上方に延びる左右の支持脚２２が固定されて設けられている。支持脚２２の上端に肥料タンク２５が取り付けられている。
【００２４】
肥料タンク２５は、平面視で矩形の上部の収容部２６と下部のホッパ部２７からなる。肥料タンク２５の上端開口に、図３（ａ）、（ｂ）に示すように、平面視で矩形の開閉蓋３０が設けられている。
【００２５】
図１、図２（ａ）、（ｂ）に示すように、肥料タンク２５の底部から左右の施肥排出口２９まで、左右の施肥供給管２８が取り付けられている。左右の施肥排出口２９は、それぞれ左右のチゼルナイフ２の後部に設けられている。施肥供給管２８は、可撓性のホース等で形成されている。
【００２６】
開閉蓋３０は、詳細は後記するが、その一端側の部分（本明細書では「基端部」という）において、肥料タンク２５の左右側部に着脱可能に取り付けられた枢支軸３１に対して、スライド可能かつ回転可能に取り付けられている。また、図３（ａ）、（ｂ）に示すように、開閉蓋３０における、基端部と反対側の部分である先端部には、ハンドル３２が取り付けられている。
【００２７】
収容部２６の前端部及び後端部における左右側部の上部に、枢支軸３１を螺着可能なねじ孔３５が形成されている（図３（ｂ）参照）。本実施例では、収容部２６の前端部の左右側部に形成されたねじ孔３５（図３では枢支軸３１が螺着されているねじ孔３５は枢支軸３１の頭で隠れて見えない）に、枢支軸３１が螺着されている。
【００２８】
なお、本実施例では、開閉蓋３０の基端部を前側に配置し、開閉蓋３０を前側を中心にして開閉可能としたが、開閉蓋３０の基端部を後側に配置し、開閉蓋３０を後側を中心にして開閉可能とする構成としてもよい。
【００２９】
さらに、収容部２６の前後面の左端部及び後端部に、枢支軸３１を螺着可能なねじ孔３５を形成し、収容部２６の前後面の左端部又は後端部に枢支軸３１を螺着し、枢支軸３１を開閉蓋３０の基端部を左右いずれかの側に配置し、開閉蓋３０を左右いずれかの側を中心にして開閉可能とする構成としてもよい。
【００３０】
開閉蓋３０は、図３（ａ）、（ｂ）に示すように、その周縁に下方に垂下したフランジ３６が形成されている。開閉蓋３０の基端部側（図３（ａ）、（ｂ）では前側）におけるフランジ３６の左右には、それぞれ上下に太幅の垂下部３７が形成されている。
【００３１】
左右の垂下部３７には、それぞれ図３（ａ）、（ｂ）に示すように、基端部側から先端部側に向けて延びる（図３（ａ）、（ｂ）中では前後方向の向けて延びる）長孔３８が形成されている。
【００３２】
左右の枢支軸３１は、図３（ａ）、（ｂ）に示すように、長孔３８の幅より若干小さく形成されており、左右の長孔３８に嵌合して挿通され、さらに肥料タンク２５のねじ孔３５に螺着される。
【００３３】
これによって、開閉蓋３０は、左右の枢支軸３１を中心に回転して開閉することが可能となるとともに、枢支軸３１が長孔３８の長手方向に相対的に移動可能な範囲内で、開閉蓋３０も肥料タンク２５に対して、図３（ｂ）に示すように、前後方向にスライド可能となる。
【００３４】
図５（ａ）に示すように、開閉蓋３０の基端側におけるフランジ３６の内面４１と長孔３８の先端との間の長さＬは、枢支軸３１の上面と収容部２６の下端（収容部２６とホッパ部２７の境界線）との間の長さＷより、若干大きい構成とする。
【００３５】
（作用）
上記構成から成る肥料タンク２５の開閉蓋３０の作用について説明する。図３（ａ）、（ｂ）に示す開閉蓋３０は、その基端部が前方に向けられ、先端部が後方に向けられて取り付けられている。
【００３６】
枢支軸３１は、フランジ３６の垂下部３７に形成された長孔３８に挿通され、肥料タンク２５の収容部２６の前部の左右側部のねじ孔３５に螺着されているが、この枢支軸３１を中心にして、開閉蓋３０は、前方に向けて回転し、肥料タンク２５を後側から開くことができる。
【００３７】
枢支軸３１は、垂下部３７の長孔３８内で長手方向に相対的に移動可能であるので、開閉蓋３０は、肥料タンク２５及び枢支軸３１に対して前後方向にスライド可能となる。そのために、開閉蓋３０を開くと、開閉蓋３０は枢支軸３１に対して相対的に下方にスライドし、図４（ａ）に示すように、枢支軸３１が長孔３８の先端（図４（ａ）では上端）に当接して開いた状態が維持される。
【００３８】
即ち、開閉蓋３０が開いた状態では、開閉蓋３０は、長孔３８の上端が枢支軸３１に当接して支持され、しかも開閉蓋３０のハンドル３２とは反対側の基端部における開閉蓋３０の内面が肥料タンク２５に当接して支持される。
【００３９】
ところで、前記したとおり、図５（ａ）に示すように、開閉蓋３０の基端におけるフランジ３６の内面４１と長孔３８の先端との間の長さＬは、枢支軸３１の上面と収容部２６の下端（収容部２６とホッパ部２７の境界線）との間の長さＷより、若干大きい構成とした。
【００４０】
このように構成したので、開閉蓋３０は開いた状態では、図４（ａ）、図５（ｃ）に示すように、基端におけるフランジ３６が収容部２６の外面に当接することなく、開閉蓋３０の基端部の内面４２が、肥料タンク２５の外面に当接するようになり、開閉蓋３０は、垂直線Ｖより若干の角度θ°だけ、回転側（図４（ａ）、図５（ｃ）では前方側）に傾斜して上方に起立した状態となり、開いた状態が安定して維持される。
【００４１】
従って、従来の開閉蓋のように、開閉蓋と肥料タンクの間に折りたたみ自在の支持リンク等のストッパ機構を設けることなく、本発明では、開閉蓋３０を開いた状態に維持され、肥料を肥料タンク２５内に供給可能となる。
【００４２】
ところで、開閉蓋３０を開いた状態では、開閉蓋３０の基端が肥料タンク２５に当接するが、この当接によって開閉蓋３０は肥料タンク２５に対して押圧力を作用する。この押圧力が小さい方が肥料タンク２５に対する強度上の負荷が小さくなり、同時に枢支軸３１に対して反力として作用する負荷が小さくなるので、好ましい。
【００４３】
そこで、図４（ａ）に示す本発明のような開閉蓋３０と、図４（ｂ）に示すような参考例の開閉蓋３０とを比較する。枢支軸３１から開閉蓋３０の先端部までの長さと、枢支軸３１から開閉蓋３０の基端部までの長さによって、開閉蓋３０による枢支軸３１を中心として生じるモーメントが異なり、開閉蓋３０の基端部が肥料タンク２５に対して作用する押圧力が異なる。
【００４４】
本発明の開閉蓋３０は、長孔３８の上端で枢支軸３１に支持され、参考例の技術では開閉蓋３０は、その基端部近くで枢支軸３１に支持されるので、開閉蓋３０における枢支軸３１から開閉蓋３０の先端部までの長さは、本発明は参考例の技術より短く、枢支軸３１から開閉蓋３０の基端までの長さは、本発明は参考例の技術より長い。
【００４５】
そのために、本発明の開閉蓋３０は、参考例の技術に比較し、枢支軸３１を中心としたモーメントが小さいので、本発明の開閉蓋３０は、開いた状態において基端部が肥料タンク２５に対する押圧力は、より小さくなり、同時に、枢支軸３１に対して反力として作用する負荷もより小さくなる。
【００４６】
また、仮に、開閉蓋３０に対して閉じる方向（図４（ａ）の右回りの方向）に何らかの原因（手が触れたり、地震等の揺れ）によって不用意な力が作用しても、本発明の開閉蓋３０は、参考例の技術に比較して、枢支軸３１から先端部までの長さが短いので、右回りに係るモーメントが小さくなり、開閉蓋３０は閉じる方向に回転しにくい。従って、本発明の開閉蓋３０は、安定した状態で、起立し開いた状態を維持することが可能となる。
【００４７】
ところで、肥料タンク２５には、肥料タンク２５の収容部２６の上部左右の前後端部に、ねじ孔３５が形成されている。開閉蓋３０の開閉の向きを前後変更する場合には、まず、枢支軸３１をはずして、開閉蓋３０の向きを前後を反対にしてから、枢支軸３１を長孔３８を挿通し、前後反対側のねじ孔３５に螺着すればよい。
【００４８】
このような構成であるので、肥料を肥料タンク２５に供給作業をする際に、使用者が作業を農作業機６の前方から行うのか、後方から行うのかという、使用者の需要に応じて、開閉蓋３０の開閉方向の向きを簡単に変更できる。
【００４９】
以上、本発明に係る肥料タンクの開閉蓋を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５０】
本発明に係る肥料タンクの開閉蓋は上記のような構成であるから、施肥機の肥料タンクを始め、施肥手段を備えたサブソイラ作業機、播種機、その他の農作業機の肥料タンクにも適用可能である。さらに、本発明に係る肥料タンクの開閉蓋は、肥料タンクだけでなく種子タンクの開閉蓋としても使用でき、播種機の種子タンクを始め、播種手段を備えたその他の農作業機の種子タンクにも適用可能である。
【符号の説明】
【００５１】
１  施肥装置                               
２  チゼルナイフ                           
３  コールタ                               
６  農作業機                               
７  前方フレーム                           
８  後方フレーム                           
１１  左側フレーム                         
１２  右側フレーム
１３  農作業具ホルダ
１４  コールタ支持アーム                   
１６  左右のリンク装着具                   
１７  マスト                               
１８  マストの支持杆
１９  中央のリンク装着具                       
２１  左右の中間フレーム                   
２２  支持脚
２３  スタンド                             
２５  肥料タンク                           
２６  収容部                               
２７  ホッパ部
２８  施肥供給管
２９  施肥排出口                             
３０  開閉蓋                               
３１  枢支軸                               
３２  ハンドル                             
３５  ねじ孔                               
３６  開閉蓋のフランジ                     
３７  開閉蓋の垂下部                       
３８  垂下部の長孔 
４１  開閉蓋の基端側のフランジの内面
４２  開閉蓋の基端部の内面                        
【図１】
2019110846.tif 000003
【図２】
2019110846.tif 000004
【図３】
2019110846.tif 000005
【図４】
2019110846.tif 000006
【図５】
2019110846.tif 000007